(57)【要約】【課題】外壁面材に縦方向に形成された中空部から横目地を通じて排水および通気層への通気が行える目地防水構造を提供する。【解決手段】縦方向に中空部１ａを有する外壁面材１の裏面に通気層２が形成される外壁構造の目地防水構造であって、上記の外壁面材１の下端の横目地５にガスケット６が設けられ、上記ガスケット６の凹溝６ａによって横方向に空間部が形成される。上記中空部１ａを通って下方に落ちてくる水は上記凹溝６ａによる空間部を通って横方向に流れる。このように横方向に流れる水は、上記ガスケット６の端に達したときに落下し、この落下箇所から下側の外壁面材１の中空部１ａ或いは外壁面材１の裏面の通気層２に落ちる。【選択図】図１
2015151737.tif 000002
【特許請求の範囲】
【請求項１】
縦方向に中空部を有する外壁面材の裏面に通気層が形成される外壁構造の目地防水構造であって、上記外壁構造の横目地に凹溝付き部材が設けられ、上記凹溝によって横方向に空間部が形成されることを特徴とする目地防水構造。
【請求項２】
請求項１に記載の目地防水構造において、上記凹溝付き部材は、上記中空部の開口の手前縁に位置する前側フィン部および上記中空部の開口の奥側縁に位置する奥側フィン部を有し、上記前側フィン部と上記奥側フィン部の間で上記凹溝が形成されることを特徴とする目地防水構造。
【請求項３】
請求項１または請求項２に記載の目地防水構造において、上記凹溝付き部材は、上記横目地内で上記外壁面材に圧接して当該凹溝付き部材を固定する１つまたは複数の圧接フィン部を有することを特徴とする目地防水構造。
【請求項４】
請求項１〜請求項３のいずれか１項に記載の目地防水構造において、複数の凹溝付き部材がその端部同士を上記横目地内で突き合わせ、当該突き合わせ箇所に隙間が形成されることを特徴とする目地防水構造。
【請求項５】
請求項１〜請求項４のいずれか１項に記載の目地防水構造において、上記凹溝付き部材は、ガスケットからなることを特徴とする目地防水構造。
【請求項６】
請求項１〜請求項４のいずれか１項に記載の目地防水構造において、上記凹溝付き部材は、不定形のシーリング材をバックアップするバックアップ材からなることを特徴とする目地防水構造。
【発明の詳細な説明】
【技術分野】
【０００１】
この発明は、中空部を有する外壁面材の裏面に通気層が形成される外壁構造の目地防水構造に関する。
【背景技術】
【０００２】
特許文献１には、横方向に中空部を有する外壁面材のジョイント部をシーリングで防水する場合に、バックアップ材となる乾式のガスケットを用い、上記中空部の通気のために上記ガスケットに孔を設けることが開示されている。
【先行技術文献】
【特許文献】
【０００３】
【特許文献１】特開昭６２−２１９４４号公報
【発明の概要】
【発明が解決しようとする課題】
【０００４】
しかしながら、上記特許文献１の目地防水構造では、上記中空部が上記孔によって横方向に連通できるに過ぎず、縦方向に中空部が形成される場合の排水構造については何も開示されていない。また、上記特許文献１の目地防水構造では、外壁面材の裏面に形成される通気層が上記ガスケットの奥側の部位によって塞がれるという欠点がある。
【０００５】
この発明は、上記の事情に鑑み、外壁面材に縦方向に形成された中空部から横目地を通じて他の外壁面材の中空部や通気層への排水および通気が行える目地防水構造を提供することを課題とする。
【課題を解決するための手段】
【０００６】
この発明の目地防水構造は、上記の課題を解決するために、縦方向に中空部を有する外壁面材の裏面に通気層が形成される外壁構造の目地防水構造であって、上記外壁構造の横目地に凹溝付き部材が設けられ、上記凹溝によって横方向に空間部が形成されることを特徴とする。
【０００７】
上記の構成であれば、上記中空部を通って下方に落ちてくる水は上記凹溝による空間部を通って横方向に流れる。このように横方向に流れる水は、上記凹溝付き部材の端に達したときに落下し、この落下箇所から下側の外壁面材の中空部或いは外壁面材の裏面の通気層に落ちる。また、空気も上記空間部を通り、上記凹溝付き部材の端において下側の外壁面材の中空部或いは上記通気層に導かれる。よって、外壁面材に縦方向に形成された中空部から横目地を通じて下側外壁面材の中空部や通気層への排水および通気が行えることになる。
【０００８】
上記凹溝付き部材は、上記中空部の開口の手前縁に位置する前側フィン部および上記中空部の開口の奥側縁に位置する奥側フィン部を有し、上記前側フィン部と上記奥側フィン部の間で上記凹溝が形成されてもよい。これによれば、上記中空部の開口が隙間なく上記凹溝付き部材で受け止められ、排水が一定の箇所（上記凹溝付き部材の端）で行われることになる。また、シーリングが施される場合において、当該シーリングが上記中空部の開口に達して塞いでしまうのを防止できる。
【０００９】
上記凹溝付き部材は、上記横目地内で上記外壁面材に圧接して当該凹溝付き部材を固定する１つまたは複数の圧接フィン部を有してもよい。これによれば、上記凹溝付き部材を横目地に差し込むだけで当該凹溝付き部材が自立的に固定されることが可能になり、シーリング材を安定して設けることができる。
【００１０】
複数の凹溝付き部材がその端部同士を上記横目地内で突き合わせ、当該突き合わせ箇所に隙間が形成されてもよい。これによれば、上記凹溝付き部材の端部に至った水や空気が上記隙間によって下側の外壁面材の中空部或いは通気層に導かれやすくなる。
【００１１】
上記凹溝付き部材は、ガスケットからなっていてもよい。或いは、上記凹溝付き部材は、不定形のシーリング材をバックアップするバックアップ材からなっていてもよい。
【発明の効果】
【００１２】
本発明であれば、外壁面材に縦方向に形成された中空部から横目地を通じて排水および通気層への通気が行える。これにより、外壁面材の中空部内の排水・通気不良による面材劣化の防止が図れる。また、上記凹溝付き部材が圧接フィン部を有する構成であれば、当該凹溝付き部材が自立的に固定され、シーリング材を安定して設けることができるので、シーリング施工不良も防止される。
【図面の簡単な説明】
【００１３】
【図１】本発明の実施形態の目地防水構造においてガスケットを施工現場で治具によって横目地に入れる様子を示した説明図であり、同図において点線矢印は、水或いは空気の流れを示している。
【図２】本発明の実施形態の目地防水構造を外壁面材の横断面で示した説明図である。
【図３】本発明の実施形態で用いるバックアップ材となるガスケットの形状を示した説明図である。
【発明を実施するための形態】
【００１４】
以下、この発明の実施の形態を添付図面に基づいて説明する。
図１に示す外壁構造では、外壁面材１に縦方向（鉛直方向）に中空部１ａが形成されており、上記外壁面材１の裏面に通気層２が形成される。上記外壁面材１として階間部面材を含むことができる。上記通気層２は、例えば、上記外壁面材１の裏面に設けられた下地板（胴縁）３およびこの下地板３の裏面に設けられた断熱材４によって形成され、建物の基礎の上部箇所から上方向に通じるように設けられる。
【００１５】
また、縦方向に並ぶ２枚の外壁面材１の間には例えば１０ｍｍ程度の寸法で横目地５が形成される。この横目地５にシーリングのバックアップ材となるガスケット（凹溝付き部材）６が設けられる。また、上記中空部１ａは、図２に示しているように、横断面が四角形状とされている。
【００１６】
上記ガスケット６は、図３にも示しているように、芯部６０と前側フィン部６１と奥側フィン部６２と圧接フィン部６３とからなる。また、上記ガスケット６は、上記芯部６０の中心を通る面について面対称となる形状を有しており、上記前側フィン部６１と奥側フィン部６２と圧接フィン部６３を面対称に有するとともに、凹溝６ａも面対称に有する。上記ガスケット６が上記横目地５に挿入された状態では、上記凹溝６ａによって横方向に通る空間部が上下に形成される。
【００１７】
また、上記ガスケット６はゴム様弾性体からなり、例えば、ＥＰＤＭなどの合成ゴムを主体とし、これを加硫してなる熱硬化性エラストマーや、ＴＰＥ（熱可塑性エラストマー）からなる。ＴＰＥとしては、例えば、ＴＰＯ（オレフィン系エラストマー）などがあり、ＰＶＣなどの樹脂でもよい。また、例えば、上記芯部６０は、デュロメーター硬度で７０度程度であり、上記前側フィン部６１と上記奥側フィン部６２と上記圧接フィン部６３はショア硬度で４８度程度となっている。
【００１８】
上記ガスケット６の上記前側フィン部６１の前面から上記奥側フィン部６２の奥端までの長さに対して幾分短い奥行きを有した上記中空部１ａの開口の手前縁に上記前側フィン部６１を位置させると、上記中空部１ａの開口の奥側縁に上記奥側フィン部６２を位置させることができる。そして、丁度このように位置させるために、例えば、上記外壁面材１の表面から上記開口の手前縁程度までしか入り込まない形状をした治具１０を用いて上記ガスケット６を押し込んでいる。
【００１９】
上記凹溝６ａは上記前側フィン部６１と上記奥側フィン部６２の間に形成される。この実施形態では、上記前側フィン部６１と上記奥側フィン部６２の間に上記圧接フィン部６３を有しており、この圧接フィン部６３と上記奥側フィン部６２との間にも上記凹溝６ａが形成される。
【００２０】
上記前側フィン部６１の幅は上記奥側フィン部６２の幅よりも短くされている。そして、上記圧接フィン部６３の幅は上記前側フィン部６１および上記奥側フィン部６２よりも長くされている。この圧接フィン部６３は、上記横目地５に挿入されると折り曲がって上記外壁面材１に圧接し、当該ガスケット６を上記横目地５内に自立的に固定する。上記圧接フィン部６３は１つと限らず、複数存在していてもよい。
【００２１】
上記ガスケット６は全長が例えば２〜３ｍ程度であり、例えば建物の一方の出隅からスタートして、他方の出隅まで順次に上記ガスケット６が継がれていく。上記他方の出隅で上記ガスケット６が余ればカットされる。また、建物に開口等があれば、その箇所でもカットされる。上記順次に配置された上記ガスケット６の継ぎ目は突き合わせとされ、当該突き合わせ箇所に２ｍｍ以内の隙間が形成される。また、横目地が縦目地に交差する箇所では、横目地優先で上記ガスケット６はカットされることなく設けられる。
【００２２】
上記ガスケット６が横目地５にセットされた後、不定形のシーリング材が横目地５に塗布される。このシーリング材は上記ガスケット６の上記前側フィン部６１によって受け止められる。
【００２３】
上記の構成であれば、上記中空部１ａを通って下方に落ちてくる水は上側の凹溝６ａによる上側の空間部（樋状部）を通って横方向に流れる。このように横方向に流れる水は、上記ガスケット６の端に達したときに落下し、この落下箇所から下側の外壁面材１の中空部１ａ或いは外壁面材１の裏面の通気層２に落ちる。また、空気は上側および下側の凹溝６ａによる上下空間部を通り、上記ガスケット６の端において上下外壁面材１の中空部１ａ或いは上記通気層２に導かれる。よって、外壁面材１に縦方向に形成された中空部１ａから横目地５を通じて排水および通気層２への通気が行える。これにより、外壁面材１の中空部１ａ内の排水・通気不良による面材劣化の防止が図れる。
【００２４】
なお、図２に示したように、上記ガスケット６の継ぎ目が上記中空部１ａ以外の箇所に位置するときでも、上記ガスケット６の端に達した水は上記外壁面材１の端上を通って例えば上記通気層２に導かれる。また、上記ガスケット６の継ぎ目が上記中空部１ａの箇所に位置する場合には、上記ガスケット６の端に達した水は直接に上記中空部１ａ内に落下することができる。
【００２５】
上記中空部１ａの開口の手前縁に上記前側フィン部６１が位置し、上記中空部１ａの開口の奥側縁に上記奥側フィン部６２が位置し、上記前側フィン部６１と上記奥側フィン部６２の間に上記凹溝６ａが形成されていると、上記中空部１ａの開口が隙間なく上記ガスケット６で受け止められ、排水が一定の箇所（上記ガスケット６の端）で行われることになる。また、シーリングが施される場合において、当該シーリングが上記中空部１ａの開口に達して塞いでしまうのを防止できる。
【００２６】
上記ガスケット６が上記圧接フィン部６３を有する構成であると、上記横目地５に上記ガスケット６が自立的に固定されやすくなる。そして、このように上記ガスケット６が自立的に固定されると、不定形のシーリング材を安定して設けることができるので、シーリング施工不良も防止される。
【００２７】
また、複数の上記ガスケット６がその端部同士を上記横目地５内で突き合わせ、当該突き合わせ箇所に隙間が形成される構成であると、上記隙間によって水や空気が外壁面材１の中空部１ａ或いは通気層２に導かれやすくなる。
【００２８】
上記の例では、凹溝付き部材として、不定形のシーリング材をバックアップするバックアップ材として機能するガスケット６を用いたが、凹溝付き部材を、バックアップ材として機能しないガスケットとして用い、別途バックアップ材を用いる構成としてもよいし、また、凹溝付き部材が乾式のガスケットの一部をなすように存在する構造としてもよい。
【００２９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３０】
１      外壁面材
１ａ    中空部
２      通気層
３      下地板
４      断熱材
５      横目地
６      ガスケット
６ａ    凹溝
６０    芯部
６１    前側フィン部
６２    奥側フィン部
６３    圧接フィン部
【図１】
2015151737.tif 000003
【図２】
2015151737.tif 000004
【図３】
2015151737.tif 000005